(57)【特許請求の範囲】
【請求項１】
原稿台に載置された原稿を読取る読取部と、
前記原稿台に載置された原稿を検出する原稿検出部と、
利用者を識別する認証情報と前記原稿の読取条件とを記憶する記憶部と、
前記認証情報を入力する認証情報入力部と、
前記認証情報入力部で認証情報が入力されたとき、前記認証情報が前記記憶部に存在し、かつ前記原稿検出部で原稿を検出している場合、前記読取条件に従って前記読取部で原稿の読取りを開始する制御部と、
利用者の操作を受付ける操作部を備え、
前記制御部は、前記認証情報入力部で認証情報が入力されたとき、前記認証情報が前記記憶部に存在し、かつ前記原稿検出部で原稿を検出していない場合、前記読取部で原稿の読取りを開始することなく、前記操作部で前記読取条件を変更する操作を受付けることを特徴とする画像形成装置。
【請求項２】
請求項１に記載の画像形成装置において、
前記読取条件を変更する操作を受付ける設定変更画面を表示する表示部を備え、
前記制御部は、前記認証情報入力部で認証情報が入力されたとき、前記認証情報が前記記憶部に存在し、かつ前記原稿検出部で原稿を検出していない場合、前記表示部に前記設定変更画面を表示させることを特徴とする画像形成装置。
【請求項３】
原稿台に載置された原稿を読取る読取部と、
前記原稿台に載置された原稿を検出する原稿検出部と、
利用者を識別する認証情報と前記原稿の読取条件とを記憶する記憶部と、
前記認証情報を入力する認証情報入力部と、
前記認証情報入力部で認証情報が入力されたとき、前記認証情報が前記記憶部に存在し、かつ前記原稿検出部で原稿を検出している場合、前記読取条件に従って前記読取部で原稿の読取りを開始する制御部と、
利用者の操作を受付ける操作部を備え、
前記制御部は、前記読取部で原稿の読取りを開始する前であって、前記認証情報入力部で認証情報が入力され、前記原稿検出部で原稿を検出してから第１の所定時間が経過するまでの間、前記操作部で前記読取条件を変更する操作を受付けることを特徴とする画像形成装置。
【請求項４】
請求項１、請求項２または請求項３に記載の画像形成装置において、
前記制御部は、前記読取条件が変更された後、読取開始指示の入力を受けると、変更後の前記読取条件に従って前記読取部で原稿の読取りを開始することを特徴とする画像形成装置。
【請求項５】
請求項４に記載の画像形成装置において、
前記制御部は、
前記認証情報入力部で認証情報が入力されたとき、前記認証情報が前記記憶部に存在し、かつ前記原稿検出部で原稿を検出している場合、前記読取部で原稿の読取りを開始してから第２の所定時間が経過するまでの間、前記操作部で前記読取部により読取った原稿の画像の出力を取消す操作を受付け、
前記認証情報入力部で認証情報が入力されたとき、前記認証情報が前記記憶部に存在し、かつ前記原稿検出部で原稿を検出していない場合、前記読取部で原稿の読取りを開始してから第３の所定時間が経過するまでの間、前記操作部で前記読取部により読取った原稿の画像の出力を取消す操作を受付けることを特徴とする画像形成装置。
【請求項６】
請求項５に記載の画像形成装置において、
前記第２の所定時間は、前記第３の所定時間より長い時間であることを特徴とする画像形成装置。
【発明の詳細な説明】
【技術分野】
【０００１】
本発明は、原稿の画像を読み取る画像形成装置に関する。
【背景技術】
【０００２】
従来の画像形成装置は、ネットワークを介して接続された外部装置から予め使用予約を行うことにより、使用可能となったときに予約したモードに移行させるようにし、使用予約時に詳細な使用条件設定を行っておくことにより、画像形成装置の操作部により詳細な設定を行うことなく簡易な操作で画像形成することができるようにしている（例えば、特許文献１参照）。
【０００３】
また、従来の画像形成装置は、利用者を識別するための利用者識別情報を操作部やカードリーダから入力して利用者の認証を行い、認証された利用者に利用を許可するようにし、例えば自動原稿給紙装置（ＡＤＦ）から原稿を読み込んで印刷を行うコピー動作を外部装置から画像形成装置に対して予約してコピーを行う場合、利用者は外部装置から利用者識別情報および使用条件を入力して使用予約し、その後画像形成装置へ赴く。次に、利用者は画像形成装置のＡＤＦに原稿を載置して利用者識別情報を入力して認証を行い、コピーを実行するためのスタートボタンを押下してコピーを行うようにしている。
【先行技術文献】
【特許文献】
【０００４】
【特許文献１】特開２０１１−４１１２９号公報
【発明の概要】
【発明が解決しようとする課題】
【０００５】
しかしながら、従来の技術においては、外部装置における利用者の操作により予め使用条件が設定され、ＡＤＦに原稿が載置されているので画像形成装置において利用者の認証が完了した時点でコピーを行うことができるにもかかわらず、スタートボタンの押下を必要としているため、利用者の操作性が低下してしまうという問題がある。
本発明は、このような問題を解決することを課題とし、利用者の操作性を向上させることを目的とする。
【課題を解決するための手段】
【０００６】
そのため、本発明は、原稿台に載置された原稿を読取る読取部と、前記原稿台に載置された原稿を検出する原稿検出部と、利用者を識別する認証情報と前記原稿の読取条件とを記憶する記憶部と、前記認証情報を入力する認証情報入力部と、前記認証情報入力部で認証情報が入力されたとき、前記認証情報が前記記憶部に存在し、かつ前記原稿検出部で原稿を検出している場合、前記読取条件に従って前記読取部で原稿の読取りを開始する制御部と、利用者の操作を受付ける操作部を備え、前記制御部は、前記認証情報入力部で認証情報が入力されたとき、前記認証情報が前記記憶部に存在し、かつ前記原稿検出部で原稿を検出していない場合、前記読取部で原稿の読取りを開始することなく、前記操作部で前記読取条件を変更する操作を受付けることを特徴とする。
【発明の効果】
【０００７】
このようにした本発明は、利用者の操作性を向上させることができるという効果が得られる。
【図面の簡単な説明】
【０００８】
【図１】実施例における画像形成装置の構成を示すブロック図
【図２】実施例における読取指令リストの説明図
【図３】実施例における読取指令リスト記憶処理の流れを示すフローチャート
【図４】実施例における読取処理の流れを示すフローチャート
【発明を実施するための形態】
【０００９】
以下、図面を参照して本発明による画像形成装置の実施例を説明する。
【実施例】
【００１０】
図１は実施例における画像形成装置の構成を示すブロック図である。
図１において、画像形成装置１は、例えば複合機であり、表示操作部２と、ＩＣカード読取部３と、認証部４と、記憶部５と、制御部８と、読取指令管理部９と、原稿読取部１０と、印刷部１２と、ＦＡＸ部１３と、画像転送部１４と、通信部１５とにより構成され、通信回線４０を介してホストコンピュータ等の情報処理装置２０と通信可能に接続されている。
【００１１】
表示操作部２は、利用者の操作を受付ける操作部および機能選択画面や読取条件を変更する操作を受付ける設定変更画面等の画面を表示する表示部により構成されたタッチパネル等のユーザインタフェースであり、機能選択画面や設定変更画面等の画面を表示部に表示し、またユーザの設定変更等の操作を操作部で受付けて制御部８に通知するものである。
認証情報入力部としてのＩＣカード読取部３は、ＩＣカードリーダで構成され、ＩＣカードリーダにＩＣカードが載置またはかざされるとＩＣカードに記憶されている利用者を識別する認証情報としての利用者識別情報を読み取り、入力するものである。この利用者識別情報は、画像形成装置１を使用することができる利用者を識別する情報であり、それぞれの利用者に付与されたＩＤ等である。
【００１２】
認証部４は、ＩＣカード読取部３が読み取った認証情報と、記憶部５に記憶された認証情報リスト６に予め記憶された複数の認証情報と比較し、画像形成装置１の利用者の本人認証を行う。認証部４は、ＩＣカード読取部３が読み取った認証情報が記憶部５に記憶された認証情報リスト６に予め記憶された複数の認証情報のいずれか１つと一致する場合に本人認証が成功したと判定し、一致しない場合は本人認証が失敗したと判定する。
なお、本実施例では画像形成装置１で本人認証を行うものとして説明するが、それに限られることなく、通信回線で接続された認証サーバ等の外部装置で本人認証処理を行うようにしても良い。
【００１３】
記憶部５は、不揮発性の記憶媒体で構成されており、画像形成装置１が行う原稿の読取り動作や読取った原稿の画像データの出力動作等に関する各種設定情報、画像形成装置１が行う制御に用いる閾値等を記憶する。本実施例において、記憶部５は、認証部４が本人認証のために使用する認証情報リスト６と、情報処理装置２０から通信部１５を介して受信した読取指令を記憶するための読取指令リスト７とを記憶する。また、記憶部５は、画像形成装置１全体の動作を制御するための制御プログラム（ソフトウェア）を記憶する。
読取部としての原稿読取部１０は、自動原稿給紙装置としてのＡＤＦ（Ａｕｔｏ  Ｄｏｃｕｍｅｎｔ  Ｆｅｅｄｅｒ）を備え、ＡＤＦの原稿台としての手差しトレイに載置された原稿を読取るものであり、ＡＤＦに載置された原稿を搬送して原稿に印刷された情報を読取り、画像データとして取得する。
【００１４】
この原稿読取部１０は原稿検出部１１を有しており、原稿検出部１１は原稿台に載置された原稿を検出するものであり、ＡＤＦに設けられた原稿検知センサによりＡＤＦの手差しトレイに原稿が載置されていることを検出する。この原稿検出部１１は、ＡＤＦの手差しトレイに原稿が載置されたか否かを検知する原稿検知スイッチ等の原稿検知センサを常時監視し、ＡＤＦの手差しトレイに原稿が載置されたことを検出することができるようになっており、ＡＤＦの手差しトレイに原稿が有るか否かの原稿有無情報を制御部８に通知する。
原稿読取部１０は、取得した原稿の画像データを制御部８からの指示に従い印刷部１２、ＦＡＸ部１３、および画像転送部１４に転送する。
【００１５】
印刷部１２は、原稿読取部１０から受信した画像データを媒体としての印刷用紙に画像形成する。
ＦＡＸ部１３は、原稿読取部１０から受信した画像データを、公衆回線を介して他の装置へファクシミリ送信するものである。
画像転送部１４は、原稿読取部１０から受信した画像データを制御部８から指示される宛先へ通信部１５を介して送信するものである。
通信部１５は、通信回線４０を介して外部装置および外部端末と情報の送受信を行う通信インターフェースである。本実施例では、通信部１５は、情報処理装置２０から通信回線４０を介して受信した読取指令を読取指令管理部９に通知し、また画像転送部１４から送られた画像データを情報処理装置２０や外部装置および外部端末等へ送信する。
【００１６】
制御部８は、ＣＰＵ（Ｃｅｎｔｒａｌ  Ｐｒｏｃｅｓｓｉｎｇ  Ｕｎｉｔ）等で構成され、記憶部５に記憶された制御プロラムに基づいて画像形成装置１全体の動作を制御するものである。この制御部８は、読取指令管理部９から受け取る読取指令と、原稿検出部１１による原稿有無情報とにより、原稿読取部１０に原稿の読取りの開始を指示する。
また、制御部８は、表示操作部２に原稿の読取り設定情報を入力するための読取設定画面を表示させる。さらに、制御部８は、原稿読取部１０が取得した原稿の画像データを印刷部１２、ＦＡＸ部１３、および画像転送部１４に処理させる。
なお、制御部８は、時間の経過を計測する計時手段としてのタイマを備えている。
【００１７】
読取指令管理部９は、制御部８から認証情報による読取条件の取得が要求されると、認証情報と一致する読取指令が読取指令リスト７に存在するか否かを検索し、存在する場合、当該読取指令に含まれる読取条件を制御部８へ通知するとともに、その読取指令を読取指令リスト７から削除する。一方、認証情報と一致する読取指令が読取指令リスト７に存在しない場合、読取指令管理部９は、読取条件が存在しない旨の情報を制御部８へ通知する。
また、読取指令管理部９は、通信部１５を介して情報処理装置２０から受信した読取指令を読取指令リスト７に記憶する。
【００１８】
図２は実施例における読取指令リストの説明図である。
図２において、読取指令リスト７の各読取指令は、認証情報７１および読取条件７２から構成され、読取条件７２と認証情報７１とが関連付けられて記憶されている。
認証情報７１は、利用者を識別するための情報である。
読取条件７２は、原稿の読取条件であり、少なくとも、機能、解像度、および両面モードを含んでいる。
【００１９】
ここで、機能について図１を参照しながら説明する。機能とは、原稿読取部１０が読み取った画像データを印刷部１２により媒体に印刷する“Ｃｏｐｙ”、原稿読取部１０が読み取った画像データを画像転送部１４により指定の送信先へ送信する“ＮＷＳｃａｎ（ＮｅｔＷｏｒｋ  Ｓｃａｎ）”、原稿読取部１０が読み取った画像データをＦＡＸ部１３により指定の送信先へファクシミリ送信する“ＳｃａｎＴｏＦａｘ”等の原稿読取部１０が読み取った画像データの処理を一意に特定する項目である。
なお、解像度は、原稿読取部１０で読取る画像の解像度（例えば、６００ｄｐｉ（ドット／インチ））を特定する項目であり、また両面モードは、原稿の両面または片面の画像を読み取るモードを特定する項目である。
この読取指令リスト７は、例えば読取指令Ａ、読取指令Ｂのように複数の読取指令で構成されている。
【００２０】
上述した構成の作用について説明する。
まず、画像形成装置が読取指令を読取指令リストに記憶する読取指令リスト記憶処理を図３の実施例における読取指令リスト記憶処理の流れを示すフローチャートの図中Ｓで表すステップに従って図１を参照しながら説明する。
Ｓ１：画像形成装置１の通信部１５は、通信回線４０を介して情報処理装置２０から送信された読取指令を受信する。
Ｓ２：通信部１５は、受信した読取指令を読取指令管理部９へ通知し、読取指令管理部９は通知された読取指令を記憶部５に記憶されている読取指令リスト７に追加して記憶し、本処理を終了する。
このようにして、利用者が求める読取条件を含む読取指令が情報処理装置２０から送信されて画像形成装置１の読取指令リスト７に記憶される。
【００２１】
次に、画像形成装置が行う原稿の読取処理を図４の実施例における読取処理の流れを示すフローチャートの図中Ｓで表すステップに従って図１を参照しながら説明する。なお、本読取処理はＩＣカード読取部３がＩＣカードを読み取った後、原稿読取部１０が原稿を読み取り、読取った原稿の画像データを印刷部１２、ＦＡＸ部１３または画像転送部１４が出力するまでの処理である。
Ｓ２１：画像形成装置１のＩＣカード読取部３は、ＩＣカードが近接するとそのＩＣカードから認証情報を読み取る。
【００２２】
Ｓ２２：ＩＣカード読取部３がＩＣカードから認証情報を読み取ると、認証部４はＩＣカード読取部３が読み取った認証情報に基づいて認証情報リスト６を検索し、ＩＣカード読取部３が読み取った認証情報と一致する認証情報が認証情報リスト６に存在するか否かを判定する認証処理を行う。
Ｓ２３：認証部４は、ＩＣカード読取部３が読み取った認証情報と一致する認証情報が認証情報リスト６に存在すると判定すると認証成功とみなして処理をＳ２４へ移行し、一方存在しないと判定すると認証失敗とみなして本処理を終了する。
【００２３】
Ｓ２４：認証成功と判定した認証部４は、制御部８に対して認証が成功した旨の情報を認証情報とともに通知する。
認証が成功した旨の情報を受けた制御部８は、通知された認証情報を指定して読取指令管理部９に読取条件の取得を要求する。
読取指令管理部９は、指定された認証情報に基づいて読取指令リスト７を検索し、指定された認証情報と一致する認証情報に関連付けられた読取指令を抽出する。
【００２４】
Ｓ２５：読取指令管理部９は、指定された認証情報と一致する認証情報に関連付けられた読取指令の有無を判定し、有ると判定すると読取指令リスト７から読取指令の読取条件を抽出して制御部８に返信し、処理をＳ２６へ移行する。一方、読取指令管理部９は、指定された認証情報と一致する認証情報に関連付けられた読取指令が無いと判定すると読取指令が無い旨を制御部８に返信し、処理をＳ４４へ移行する。
なお、読取指令リスト７から読取指令を抽出した読取指令管理部９は、抽出した読取指令を読取指令リスト７から削除する。
【００２５】
Ｓ２６：制御部８は、読取指令管理部９から読取条件を取得すると原稿検出部１１にＡＤＦの原稿有無を問い合わせる。原稿検出部１１は、ＡＤＦの原稿有無を原稿検知センサで確認する。
Ｓ２７：原稿検出部１１は、ＡＤＦに原稿が有ると判定するとその旨を制御部８に通知して処理をＳ２８へ移行し、ＡＤＦに原稿が無いと判定するとその旨を制御部８に通知して処理をＳ３６へ移行する。
ここで、ＡＤＦに原稿が有る旨の通知を受けた制御部８は、時間の経過の計測を開始する。
【００２６】
Ｓ２８：表示操作部２は、メニュー画面等で読取条件の設定変更を指示する操作を受付けると、読取条件を変更するため処理をＳ３１へ移行し、読取条件の設定変更を指示する操作を受付けないと処理をＳ２９へ移行する。
Ｓ２９：表示操作部２は、スタートボタン等の読取り開始を指示する操作を受付けると、原稿の読取を開始するため処理をＳ３８へ移行し、読取開始を指示する操作を受付けないと処理をＳ３０へ移行する。
【００２７】
Ｓ３０：制御部８は、Ｓ２７においてＡＤＦに原稿が有る旨の通知を受けてからの経過時間が、第１の所定時間としての読取条件変更余裕時間Ｔ１を超えたか否かを判定し、超えたと判定すると原稿の読み取りを開始するため処理をＳ３２へ移行し、超えていないと判定すると読取条件の設定変更を指示する操作および読取りの開始を指示する操作を監視するため処理をＳ２８へ移行する。
【００２８】
このように制御部８は、原稿読取部１０で原稿の読取りを開始する前であって、ＩＣカード読取部３で認証情報が入力され、原稿検出部１１で原稿を検出してから第１の所定時間である読取条件変更余裕時間Ｔ１が経過するまでの間、表示操作部２で読取条件を変更する操作を受付ける。
なお、読取条件変更余裕時間Ｔ１は、表示操作部２に表示される設定画面で変更可能であり、記憶部５に記憶される。
【００２９】
Ｓ３１：表示操作部２が読取条件の設定変更を指示する操作を受付けると、制御部８は、読取指令管理部９から取得した読取条件に沿った読取設定画面を表示する指示を表示操作部２へ通知する。表示操作部２は受けた指示に従って読取設定画面を表示部に表示し、処理をＳ４３へ移行する。この読取設定画面には、例えば図２に示される読取指令Ａに含まれる読取条件を表示する場合、機能＝ＮＷＳｃａｎ、解像度＝２００ｄｐｉ、両面モード＝片面、送信先＝１９２．１６８．１．７（ＩＰアドレス）のような項目が表示されることとなる。
【００３０】
Ｓ３２：制御部８は、読取指令リスト７から抽出した読取指令の読取条件に従って原稿の読取りを開始する指示を原稿読取部１０へ通知する。原稿の読取りを開始する指示を受けた原稿読取部１０は、読取条件に従って原稿の読取を開始する。
ここで、原稿の読取りを開始する指示を原稿読取部１０へ通知した制御部８は、時間の経過の計測を開始する。
このように制御部８は、ＩＣカード読取部３で認証情報が入力されたとき、その認証情報が記憶部５の認証情報リスト６に存在し、かつ原稿読取部１０の原稿検出部１１で原稿を検出している場合、読取開始指示の操作を受付けなくても、認証情報に基づいて抽出した読取指令の読取条件７２に従って原稿読取部１０で原稿の読取りを開始する。
【００３１】
Ｓ３３：表示操作部２は、読取った原稿画像の出力の取消を指示する操作を受付けると、原稿画像の出力を取消し、本処理を終了し、取消を指示する操作を受付けないと処理をＳ３４へ移行する。
Ｓ３４：制御部８は、Ｓ３２において原稿の読取りを開始してからの経過時間が、第２の所定時間としての出力中断余裕時間Ｔ２を超えたか否かを判定し、超えたと判定すると読取った原稿画像の出力を行うため処理をＳ３５へ移行し、超えていないと判定すると読取った原稿画像の出力の取消の操作を監視するため処理をＳ３３へ移行する。
【００３２】
Ｓ３５：原稿読取部１０が原稿の読取を終了すると、制御部８は読取条件に従って原稿読取部１０が取得した原稿の画像データを印刷部１２、ＦＡＸ部１３、または画像転送部１４に出力させ、本処理を終了する。
Ｓ３６：一方、Ｓ２７において、ＡＤＦに原稿が無い旨の通知を受けた制御部８は、読取指令管理部９から取得した読取条件に沿った読取設定画面を表示する指示を表示操作部２へ通知する。表示操作部２は受けた指示に従って読取設定画面を表示部に表示する。この読取設定画面には、Ｓ３１において表示した読取設定画面と同様のものである。
Ｓ３７：表示操作部２は、読取り開始を指示する操作を受付けると、原稿の読取を開始するため処理をＳ３８へ移行し、読取開始を指示する操作を受付けないと処理をＳ４２へ移行する。
【００３３】
Ｓ３８：表示操作部２で読取開始指示ボタンの押下を受付けると、制御部８は読取操作画面で設定された変更後の読取条件に従って原稿の読取りを開始する指示を原稿読取部１０へ通知する。原稿の読取りを開始する指示を受けた原稿読取部１０は、読取条件に従って原稿の読取を開始する。
ここで、原稿の読取りを開始する指示を原稿読取部１０へ通知した制御部８は、時間の経過の計測を開始する。
Ｓ３９：表示操作部２は、読取った原稿画像の出力の取消を指示する操作を受付けると、原稿画像の出力を取消し、本処理を終了し、取消を指示する操作を受付けないと処理をＳ４０へ移行する。
【００３４】
Ｓ４０：制御部８は、Ｓ３８において原稿の読取りを開始してからの経過時間が、第３の所定時間としての出力中断余裕時間Ｔ３を超えたか否かを判定し、超えたと判定すると読取った原稿画像の出力を行うため処理をＳ４１へ移行し、超えていないと判定すると読取った原稿画像の出力の取消の操作を監視するため処理をＳ３９へ移行する。
なお、出力中断余裕時間Ｔ２およびＴ３は、表示操作部２に表示される設定画面で変更可能であり、記憶部５に記憶される。
【００３５】
本実施例では、出力中断余裕時間Ｔ２は、例えば５秒とし、また出力中断余裕時間Ｔ３は、例えば２秒とし、出力中断余裕時間Ｔ２は、出力中断余裕時間Ｔ３より長い時間として予め記憶部５に記憶させておくものとし、初期値では、出力中断余裕時間Ｔ３＜出力中断余裕時間Ｔ２の関係を有するものとする。
Ｓ４１：原稿読取部１０が原稿の読取を終了すると、制御部８は読取条件に従って原稿読取部１０が取得した原稿の画像データを印刷部１２、ＦＡＸ部１３、または画像転送部１４に出力させ、本処理を終了する。
【００３６】
Ｓ４２：一方、Ｓ３７において、読取開始指示ボタンが押下されていない場合、表示操作部２は、読取条件の設定変更を指示する操作を受付けると、読取条件を変更するため処理をＳ４３へ移行し、読取条件の設定変更を指示する操作を受付けないと処理をＳ３７へ移行して読取設定画面を表示したままとする。
このように制御部８は、ＩＣカード読取部３で認証情報が入力されたとき、その認証情報が記憶部５の認証情報リスト６に存在し、かつ原稿読取部１０の原稿検出部１１で原稿を検出していない場合、表示操作部２に設定変更画面を表示させ、表示操作部２で読取条件を変更する操作を受付ける。
【００３７】
Ｓ４３：読取条件の設定変更を指示する操作を受付けた表示操作部２は設定変更画面で受付けた読取条件の変更内容を制御部８に通知し、制御部８は受け取った読取条件の変更内容に従って読取条件を変更する。制御部８は、変更された読取条件に沿った読取設定画面を表示操作部２に表示させ、処理をＳ３７へ移行する。
Ｓ４４：Ｓ２５において、読取指令管理部９から指定された認証情報と一致する認証情報に関連付けられた読取指令が無い旨の通知を受けた制御部８は、例えばＮＷＳｃａｎ、Ｃｏｐｙ、ＳｃａｎＴｏＦａｘのような機能を選択する操作を受付ける機能選択画面を表示操作部２に表示させる。
【００３８】
Ｓ４５：表示操作部２は、機能選択画面で機能が選択されると選択された機能を制御部８へ通知して処理をＳ３６へ移行し、制御部８は選択された機能に対応する読取設定画面を表示操作部２に表示させる。このときの読取条件は初期値で構成され、読取設定画面の読取条件は、初期値で表示されるものとする。
一方、表示操作部２は、機能選択画面で機能が選択されない場合は、処理をＳ４４へ移行して機能選択画面を表示したままとする。
【００３９】
このように、本実施例では、画像形成装置１のＩＣカード読取部３により認証情報が入力されて認証部４で本人認証が成功し、原稿読取部１０の原稿検出部１１でＡＤＦの原稿トレイに原稿が載置されていることが検出された場合、制御部８が原稿の読取り動作を自動的に開始するようにしたことにより、利用者の読取開始指示の入力操作が不要になり、利用者の操作負担を軽減し、利用者の操作性を向上させることができる。
また、ＩＣカード読取部３により認証情報が入力されて認証部４で本人認証が成功し、原稿読取部１０の原稿検出部１１でＡＤＦの原稿トレイに原稿が載置されていないことが検出された場合、制御部８は原稿の読取り動作を自動的に開始することなく、表示操作部２により読取条件の設定を変更できるようにしたことにより、利用者の操作性を向上させることができる。
【００４０】
なお、画像形成装置１が原稿の読取処理を開始する前に、表示操作部２に「ＡＤＦの原稿トレイに原稿をセットした状態で認証を完了すると予め設定した条件で原稿の読取りを開始する」等のメッセージを表示するようにしても良い。
以上説明したように、本実施例では、認証情報が入力されて本人認証が成功し、ＡＤＦの原稿トレイに原稿が載置されていることが検出された場合、原稿の読取り動作を自動的に開始するようにしたことにより、利用者の読取開始指示の入力操作が不要になり、利用者の操作負担を軽減し、利用者の操作性を向上させることができるという効果が得られる。
【００４１】
また、認証情報が入力されて本人認証が成功し、ＡＤＦの原稿トレイに原稿が載置されていないことが検出された場合、原稿の読取り動作を自動的に開始することなく、読取条件の設定を変更できるようにしたことにより、利用者の操作性を向上させることができるという効果が得られる。
なお、本実施例では、画像形成装置を複合機として説明したが、それに限られるものでなく、原稿読取部を備えたものであれば、スキャナ装置またはファクシミリ装置等であっても良い。
【符号の説明】
【００４２】
１    画像形成装置
２    表示操作部
３    ＩＣカード読取部
４    認証部
５    記憶部
６    認証情報リスト
７    読取指令リスト
８    制御部
９    読取指令管理部
１０  原稿読取部
１１  原稿検出部
１２  印刷部
１３  ＦＡＸ部
１４  画像転送部
１５  通信部
２０  情報処理装置
４０  通信回線
【図１】
0005873853.tif 000002
【図２】
0005873853.tif 000003
【図３】
0005873853.tif 000004
【図４】
0005873853.tif 000005